(57)【要約】【課題】口金と封止管の間に充填した接着剤を硬化させた際に生じた封止管の歪みを、ランプの点灯時に十分に解放することが可能な放電ランプ、及び本発明の放電ランプの給電部材に対する取り付け方法を提供する。【解決手段】一対の電極１６を内蔵するガラス製の発光管１２と、発光管と一体化した一対のガラス製の封止管１３、１４と、封止管の外周面に被せた筒状部３１、及び筒状部の一方の端部を塞ぐ閉塞端部３３、を有する一対の口金と、少なくとも一部が口金内に位置し、一端が一方の口金と導通しかつ他端が一対の上記電極とそれぞれ導通する一対の導通部材１７、２１、２２、２３、２４、２７と、口金と封止管を固定する接着剤４１と、を備え、給電部材４５に対して着脱可能な口金２９の閉塞端部が、閉塞端部の少なくとも外周縁部を構成し、かつ口金を給電部材に接続したときに給電部材と接触する第一給電部３６と、閉塞端部の残りの部位を構成し、かつ第一給電部よりも電極側に位置する第一非接触部３５と、を備える。【選択図】図２
2014207114.tif 000002
【特許請求の範囲】
【請求項１】
一対の口金を備える放電ランプにおいて、
両者の間で放電を行なう一対の電極を内蔵するガラス製の発光管と、
互いに離間しかつ上記発光管と一体化した一対のガラス製の封止管と、
上記封止管の外周面に被せた筒状部、及び該筒状部の一方の端部を塞ぐ閉塞端部、を有する一対の上記口金と、
少なくとも一部が上記口金内に位置し、一端が一方の上記口金と導通しかつ他端が一対の上記電極とそれぞれ導通する一対の導通部材と、
上記口金の内周面と上記封止管の外周面の間に充填した、上記口金と上記封止管を固定する接着剤と、
を備え、
上記一対の口金のうち少なくとも一方の口金が電源と接続した給電部材に対して着脱可能となっており、
上記給電部材に対して着脱可能な上記口金の上記閉塞端部が、
該閉塞端部の少なくとも外周縁部を構成し、かつ上記口金を上記給電部材に接続したときに該給電部材と接触する第一給電部と、
該閉塞端部の残りの部位を構成し、かつ上記第一給電部よりも上記電極側に位置する第一非接触部と、
を備えることを特徴とする放電ランプ。
【請求項２】
請求項１記載の放電ランプにおいて、
上記第一給電部が平面であり、
上記閉塞端部の一部から上記電極側に向かってへこむ凹部が上記第一非接触部を構成する放電ランプ。
【請求項３】
請求項２記載の放電ランプにおいて、
上記凹部は、少なくとも一つの環状凹部である放電ランプ。
【請求項４】
請求項２記載の放電ランプにおいて、
上記凹部が複数である放電ランプ。
【請求項５】
請求項１から４のいずれか１項記載の放電ランプにおいて、
上記第一給電部が上記筒状部の中心軸に関して回転対称形状である放電ランプ。
【請求項６】
請求項１から５のいずれか１項記載の放電ランプにおいて、
安定点灯状態にある上記放電ランプに流れる電流をＩ（Ａ）、上記閉塞端部の上記筒状部の中心軸方向に見たときの面積をＳ０（ｍｍ２）、上記第一給電部の上記中心軸方向に見たときの面積をＳ１（ｍｍ２）、としたときに、以下の条件式（１）（２）
（１）４０≦Ｉ≦２００
（２）３０≦  Ｓ１／Ｓ０×１００  ≦６０
が成立する放電ランプ。
【請求項７】
請求項１から６のいずれか１項記載の放電ランプにおいて、
上記給電部材に形成した接続凹部に対して上記口金を挿脱可能であり、
上記口金が、上記閉塞端部から上記電極と反対側に向かって突出し、かつ上記筒状部よりも小径である小径部を備え、
該小径部の外周部が、
上記口金を上記接続凹部に挿入したときに該接続凹部の内周面と接触する第二給電部と、
上記小径部の上記外周部の残りの部位をなし、かつ上記第二給電部よりも上記内周側に位置する第二非接触部と、
を備える放電ランプ。
【請求項８】
請求項７項記載の放電ランプにおいて、
上記第二非接触部が、上記小径部の外周面に凹設した、上記筒状部の中心軸と平行な方向に延びかつ上記小径部の周方向に等角度間隔で形成した複数の直線状の凹溝である放電ランプ。
【請求項９】
請求項７項記載の放電ランプにおいて、
上記第二非接触部が、上記小径部の外周面に凹設した、上記小径部の周方向に延びかつ上記筒状部の中心軸方向に等間隔で形成した複数の環状の凹溝である放電ランプ。
【請求項１０】
請求項７から９のいずれか１項記載の放電ランプの上記給電部材に対する取り付け方法であって、
上記給電部材に形成したねじ溝に対して、上記口金の外周面に形成したねじ溝を螺合させて、上記第一給電部を上記接続凹部の上記内面に対して接触させることを特徴とする放電ランプの給電部材に対する取り付け方法。
【発明の詳細な説明】
【技術分野】
【０００１】
本発明は放電ランプ、及び本発明の放電ランプの給電部材に対する取り付け方法に関する。
【背景技術】
【０００２】
特許文献１は放電ランプの従来例を開示している。
この放電ランプは、ガラス製の放電容器と、放電容器（の発光管）内に位置する一対の電極と、を備えている。放電容器の両端部は一対の封止管により構成してある。さらに放電容器の内部には、一端が各電極とそれぞれ接続する一対の導通部材が配設してある。
【０００３】
各封止管には口金がそれぞれ取り付けてある。
各口金は、放電ランプの長手方向に延びる筒状部と、筒状部の一方の端部を塞ぐ閉塞端部と、を備えている。各口金の筒状部は各封止管に対して外周側から被せてあり、各導通部材の他端が各口金に接続している。
一般的に、口金の筒状部と封止管は熱硬化性の接着剤により固定する。即ち、対応する筒状部の内周面と封止管の外周面の間に接着剤を充填した後に、口金（筒状部）を加熱して接着剤を固化させることにより、口金の筒状部を封止管に対して固定する。
【０００４】
放電ランプの一対の口金の一方は、例えば、電源と接続した給電部材の接続凹部に対して着脱可能である。他方の口金は、リード線を介して上記電源に直接接続されるか、或いは上記電源と接続した給電部材の接続凹部に対して着脱可能である。
給電部材の接続凹部に対して口金を接続すると、口金の端面が対応する接続凹部の接触面と接触する。そのため上記電源が給電部材に電力を供給すると、給電部材から対応する口金に対して電流が流れる。そして、口金に流れた電流は導通部材を介して電極に流れるので、対をなす電極の間で放電が発生し、放電ランプが点灯する。
【先行技術文献】
【特許文献】
【０００５】
【特許文献１】特開２０００−２００５８１公報
【発明の概要】
【発明が解決しようとする課題】
【０００６】
接着剤を硬化させるために口金を加熱すると口金は一時的に熱膨張し、さらに加熱処理後の自然冷却によって口金は収縮する。
そして口金の収縮時に、固化した接着剤を介して口金が封止管を内周側に締め付けるので、この際に封止管の口金（筒状部）との対向部に歪みが生じることがある。
【０００７】
放電ランプの点灯時に口金の温度が十分に高温化すれば、この熱によって封止管の歪み（の少なくとも一部）は解放される。
しかし、放電ランプの点灯時における口金の温度上昇が不十分な場合は、封止管に残った歪みが十分に解放されないので、封止管にクラックが発生し、放電ランプが破損するおそれがある。
【０００８】
本発明は、口金と封止管の間に充填した接着剤を硬化させた際に生じる封止管の歪みを、ランプの点灯時に十分に解放することが可能な放電ランプ、及び本発明の放電ランプの給電部材に対する取り付け方法を提供することを目的とする。
【課題を解決するための手段】
【０００９】
本発明の放電ランプは、一対の口金を備える放電ランプにおいて、両者の間で放電を行なう一対の電極を内蔵するガラス製の発光管と、互いに離間しかつ上記発光管と一体化した一対のガラス製の封止管と、上記封止管の外周面に被せた筒状部、及び該筒状部の一方の端部を塞ぐ閉塞端部、を有する一対の上記口金と、少なくとも一部が上記口金内に位置し、一端が一方の上記口金と導通しかつ他端が一対の上記電極とそれぞれ導通する一対の導通部材と、上記口金の内周面と上記封止管の外周面の間に充填した、上記口金と上記封止管を固定する接着剤と、を備え、上記一対の口金のうち少なくとも一方の口金が電源と接続した給電部材に対して着脱可能となっており、上記給電部材に対して着脱可能な上記口金の上記閉塞端部が、該閉塞端部の少なくとも外周縁部を構成し、かつ上記口金を上記給電部材に接続したときに該給電部材と接触する第一給電部と、該閉塞端部の残りの部位を構成し、かつ上記第一給電部よりも上記電極側に位置する第一非接触部と、を備えることを特徴としている。
【００１０】
上記第一給電部が平面であり、上記閉塞端部の一部から上記電極側に向かってへこむ凹部が上記第一非接触部を構成してもよい。
【００１１】
上記凹部は、少なくとも一つの環状凹部であってもよい。
【００１２】
上記凹部が複数であってもよい。
【００１３】
上記第一給電部が上記筒状部の中心軸に関して回転対称形状であってもよい。
【００１４】
安定点灯状態にある上記放電ランプに流れる電流をＩ（Ａ）、上記閉塞端部の上記筒状部の中心軸方向に見たときの面積をＳ０（ｍｍ２）、上記第一給電部の上記中心軸方向に見たときの面積をＳ１（ｍｍ２）、としたときに、以下の条件式（１）（２）
（１）４０≦Ｉ≦２００
（２）３０≦  Ｓ１／Ｓ０×１００  ≦６０
が成立するものであってもよい。
【００１５】
上記給電部材に形成した接続凹部に対して上記口金を挿脱可能であり、上記口金が、上記閉塞端部から上記電極と反対側に向かって突出し、かつ上記筒状部よりも小径である小径部を備え、該小径部の外周部が、上記口金を上記接続凹部に挿入したときに該接続凹部の内周面と接触する第二給電部と、上記小径部の上記外周部の残りの部位をなし、かつ上記第二給電部よりも上記内周側に位置する第二非接触部と、を備えてもよい。
【００１６】
上記第二非接触部が、上記小径部の外周面に凹設した、上記筒状部の中心軸と平行な方向に延びかつ上記小径部の周方向に等角度間隔で形成した複数の直線状の凹溝であってもよい。
【００１７】
上記第二非接触部が、上記小径部の外周面に凹設した、上記小径部の周方向に延びかつ上記筒状部の中心軸方向に等間隔で形成した複数の環状の凹溝であってもよい。
【００１８】
本発明の放電ランプの給電部材に対する取り付け方法は、上記給電部材に形成したねじ溝に対して、上記口金の外周面に形成したねじ溝を螺合させて、上記第一給電部を上記接続凹部の上記内面に対して接触させることを特徴としている。
【発明の効果】
【００１９】
本発明の放電ランプは、口金の閉塞端部が、閉塞端部の少なくとも外周縁部を構成する第一給電部と、閉塞端部の残りの部位を構成し、かつ第一給電部よりも電極側に位置する第一非接触部と、を備えている。
そのため口金を給電部材に接続すると、第一給電部が給電部材と接触する一方で、第一非接触部は給電部材とは接触しない。即ち、閉塞端部の電極と反対側の端面全体を平面とする場合に比べて、閉塞端部と給電部材との接触面積が小さくなる。
従って、放電ランプを点灯させると、（閉塞端部の電極と反対側の端面全体を平面とする場合に比べて）閉塞端部（第一給電部）の電流密度が大きくなり、閉塞端部（第一給電部）の電気抵抗に起因して発生するジュール熱が高くなるので、（閉塞端部の電極と反対側の端面全体を平面とする場合に比べて）口金の温度が上昇する。
その結果、封止管の歪みが十分に解放されるので、封止管にクラックが発生したり、放電ランプが破損するおそれを小さくすることが可能である。
【００２０】
さらに閉塞端部の外周縁部に、給電部材と接触する第一給電部が形成してあるので、閉塞端部（第一給電部）で発生したジュール熱が空気の対流によって、当該外周縁部（第一給電部）の外周側（口金の外側）に排出され難い。そのため口金を高温状態に維持し易い。
【図面の簡単な説明】
【００２１】
【図１】本発明を適用した一実施形態の放電ランプ及びランプホルダの一部を破断して示す正面図である。
【図２】放電ランプの一方の端部の縦断面図である。
【図３】図２のIII矢線方向に見た図である。
【図４】第一の変形例の口金の縦断面図である。
【図５】図４のＶ矢線方向に見た図である。
【図６】第二の変形例の口金の縦断面図である。
【図７】図６のVII矢線方向に見た図である。
【図８】口金の小径部の斜視図である。
【図９】第三の変形例の口金の縦断面図である。
【図１０】図９のＸ矢線方向に見た図である。
【発明を実施するための形態】
【００２２】
以下、図１から図３を参照しながら本発明の一実施形態について説明する。
本実施形態の放電ランプ１０は、図１に示したランプホルダ４５（給電部材）に対して着脱可能なランプである。放電ランプ１０は、石英ガラスで形成された放電容器１１を具備している。放電容器１１は、略球状をなす発光管１２と、発光管１２の両端部に形成された円筒形の封止管１３、１４と、を一体的に備えている。
発光管１２の内部には一対の電極１６が互いに対向する状態で配設してある。封止管１３、１４の内部には一方の端部が電極１６に接続する内部電極棒１７が設けてある。内部電極棒１７の他方の端部近傍には接続部材２３（の中心孔）が嵌合しており、内部電極棒１７の他方の端部は、ガラス棒１８（の一方の端面に形成した凹部）に嵌合している。ガラス棒１８（の他方の端面に形成した凹部）には外部電極棒２１の一方の端部が嵌合しており、外部電極棒２１はガラス棒１８の端面に当接する接続部材２４の（中心孔）に嵌合している。外部電極棒２１の他方の端部には金属線を撚って構成した内部リード線２２の一端が蝋付けにより固着してある。ガラス棒１８、接続部材２３、及び接続部材２４の外周面には複数枚の金属箔２７が接触させてある。封止管１３、１４は内部電極棒１７、ガラス棒１８、接続部材、２４、及び金属箔２７を封止している。
【００２３】
各封止管１３、１４には金属製の口金２９、３０がそれぞれ装着してある。
口金２９は封止管１３、１４より大径の円筒体である大径筒状部３１（筒状部）と、大径筒状部３１の一方の端面を塞ぐ閉塞端部３３と、大径筒状部３１より小径の筒体である小径部３８と、小径部３８の先端よりさらに小径の先端最小径部４２と、を一体的に具備している。
大径筒状部３１の外周面にはねじ溝３２が形成してある。大径筒状部３１の一方の端面を塞ぐ円板状の閉塞端部３３の中心部には円形の中心孔３４が穿設してあり、閉塞端部３３の表面（電極１６と反対側の端面）には中心孔３４と同心をなす円形の第一非接触部３５が凹設してある。閉塞端部３３の表面の第一非接触部３５を除く部分は平面からなる第一給電部３６となっている。
小径部３８の外周面は円筒面からなる第二給電部３９となっている。先端最小径部４２の内径は中心孔３４より小径かつ内部リード線２２の外径と略同径であり、先端最小径部４２の先端は開口している。
口金２９は、内部リード線２２を中心孔３４及び先端最小径部４２に挿入させた状態で大径筒状部３１の一部を封止管１３の外周面に被せてあり、封止管１３の外周面と大径筒状部３１の内周面の間に形成された環状空間には接着剤４１が充填してある。この接着剤４１は熱硬化性であるため、封止管１３に対して大径筒状部３１（口金２９）を固定する際は口金２９を加熱する。口金２９を加熱すると口金２９は一時的に熱膨張し、さらに加熱処理後の自然冷却時に口金２９は収縮する。口金２９が収縮するときに、固化した接着剤４１を介して口金２９（大径筒状部３１）が封止管１３を内周側に締め付けるので、この際に封止管１３の大径筒状部３１との対向部に歪みが生じることがある。
内部リード線２２の先端部は先端最小径部４２の先端開口から僅かに突出している。そして、先端最小径部４２の先端部を加熱することにより先端最小径部４２の先端部に塗布した蝋４３を溶融し、その後の自然冷却によって蝋４３を先端最小径部４２の先端部及び内部リード線２２の先端部に対して固着する（蝋付けする）。先端最小径部４２は断面積が十分小さいため、蝋４３を溶融した際十分な温度まで上昇する。従って蝋４３の先端最小径部４２及び内部リード線２２に対する蝋付けを確実に行うことが可能である。なお、小径部３８の断面積が十分小さい場合は、先端最小径部４２を省略して蝋４３を小径部３８の先端部及び内部リード線２２の先端部に対して蝋付けしてもよい。
口金３０はねじ溝３２及び第一非接触部３５を具備しない点を除いて口金２９と同じ構造であり、口金２９と同じ要領によって封止管１４に対して装着してある。
【００２４】
ランプホルダ４５は、例えば照射装置の保持台（図示略）に対して固定されたものである。ランプホルダ４５の端面には大径筒状部３１と対応する形状の大径筒状部収納部４６（接続凹部）が凹設してあり、大径筒状部収納部４６の底面には小径部３８（及び蝋４３）と対応する形状の小径部収納部４８（接続凹部）が凹設してある。さらに大径筒状部収納部４６の内周面にはねじ溝４７が形成してある。またランプホルダ４５には、一端が電源（図示略）に接続する第一リード線４９の他端が接続している。第一リード線４９の他端は、大径筒状部収納部４６の底面及び小径部収納部４８の内周面と電気的に導通可能である。
放電ランプ１０の口金２９側の端部はランプホルダ４５に対して着脱可能に接続している。具体的には、小径部３８（及び蝋４３）を小径部収納部４８に挿入させながら、ねじ溝３２とねじ溝４７を螺合させている。このようにして放電ランプ１０の口金２９側の端部をランプホルダ４５に対して接続すると、口金２９の第一給電部３６が大径筒状部収納部４６の底面に接触しかつ小径部３８の第二給電部３９が小径部収納部４８の内周面に接触する。
口金３０には第二リード線５２の一端が接続しており、第二リード線５２の他端は上記電源（のアース）に接続している。
【００２５】
このようにして放電ランプ１０をランプホルダ４５と一体化した後に電源スイッチをＯＮ操作すると、放電ランプ１０に上記電源で発生した電流が流れ、ランプホルダ４５の大径筒状部収納部４６の底面と口金２９の第一給電部３６及び小径部収納部４８の内周面と小径部３８の第二給電部３９がそれぞれ互いに電気的に導通する。さらに、口金２９の第一給電部３６及び第二給電部３９が、蝋４３、内部リード線２２、外部電極棒２１、接続部材接続部材２４、金属箔２７、接続部材接続部材２３、及び内部電極棒１７を介して一方の電極１６と導通する。口金３０に接続された第二リード線５２が内部リード線２２（蝋４３）、外部電極棒２１、接続部材２４、金属箔２７、接続部材２３、及び内部電極棒１７を介して他方の電極１６と導通するので、一対の電極１６の間で放電が発生し放電ランプ１０が点灯する（紫外線を放射する）。
【００２６】
放電ランプ１０が点灯しているとき、口金２９及び口金３０の第一給電部３６がランプホルダ４５の大径筒状部収納部４６の底面に接触するものの、口金２９の第一非接触部３５は大径筒状部収納部４６の底面と接触しない。即ち、閉塞端部３３の端面全体を平面とする場合に比べて、閉塞端部３３と大径筒状部収納部４６の底面との接触面積が小さくなる。従って、放電ランプ１０を点灯させると、（閉塞端部３３の端面全体を平面とする場合に比べて）閉塞端部３３（第一給電部３６）の電流密度が大きくなり、閉塞端部３３（第一給電部３６）の電気抵抗に起因して発生するジュール熱が多くなる。さらに閉塞端部３３の外周縁部に大径筒状部収納部４６の底面と接触する第一給電部３６が形成してあるので、閉塞端部３３（第一給電部３６）で発生したジュール熱が空気の対流によって、閉塞端部３３の外周縁部（第一給電部３６）の外周側（口金２９の外側）に排出され難い。そのため口金２９を高温状態に維持し易い。その結果、（閉塞端部３３の端面全体を平面とする場合に比べて）口金２９の温度が上昇する。
しかも口金２９の第一給電部３６及び第二給電部３９が口金２９（大径筒状部３１）の中心軸に関して回転対称な形状なので、口金２９の第一給電部３６及び第二給電部３９から口金２９の大径筒状部３１全体に略均等に熱が及ぶ。そのため、封止管１３、１４の外周面（接着剤４１を付着した部分）に熱を略均等に及ぼすことが可能である。
そのため、口金２９から封止管１３、１４に伝わる熱量が（閉塞端部３３の端面全体を平面とする場合に比べて）大きくなるので、封止管１３、１４の歪みが十分に解放される。そのため、放電ランプ１０の点灯中に封止管１３、１４にクラックが発生したり、放電ランプ１０が破損するおそれを小さくすることが可能である。
【００２７】
閉塞端部３３の第一給電部３６の面積が小さ過ぎると、放電ランプ１０の点灯時に口金２９が高温になり過ぎてしまい、その結果、封止管１３、１４と接触している金属箔２７が酸化されるおそれがある。仮に金属箔２７が酸化されてしまうと、放電ランプ１０が点灯できなくなる（故障する）可能性がある。
そこで本実施形態では、放電ランプ１０が安定点灯状態にあるときに放電ランプ１０に流れる電流をＩ（Ａ：アンペア）、閉塞端部３３を放電ランプ１０の長手方向に見たときの面積をＳ０（ｍｍ２）、第一給電部３６の上記長手方向（大径筒状部３１の中心軸方向）に見たときの面積をＳ１（ｍｍ２）、としたときに、以下の条件式（１）（２）
（１）４０≦Ｉ≦２００
（２）３０≦  Ｓ１／Ｓ０×１００  ≦６０
が成立するようにしている。
そのため放電ランプ１０の点灯時に口金２９が高温になり過ぎることがないので、封止管１３、１４と接触している金属箔２７が酸化されるのを防止できる。従って、放電ランプ１０を安定した状態で点灯させることが可能である。
【００２８】
以上、上記実施形態を利用して本発明を説明したが、本発明は様々な変形を施しながら実施可能である。
図４、図５に示す変形例の口金５４の閉塞端部３３には、閉塞端部３３の中心点を中心とする円弧状をなす４つの第一非接触部５５が周方向に等角度間隔（９０°間隔）で凹設してある。口金５４の第一給電部３６も口金５４（大径筒状部３１）の中心軸に関して回転対称形状である。さらに口金５４を適用した放電ランプ１０も上記条件式（１）（２）を満足している。
そのため、この口金５４を口金２９の代わりに用いた場合も、上記実施形態と同様の作用効果を発揮可能である。
なお、第一非接触部５５の数は複数であれば幾つでもよく、幾つの場合であっても第一給電部３６が口金５４（大径筒状部３１）の中心軸に関して回転対称形状となるように第一非接触部５５を閉塞端部３３に対して設けるのが好ましい。
【００２９】
図６〜図８に示す変形例の口金５７の小径部３８の外周面には、周方向に等角度間隔（９０°間隔）で４本の第二給電部５８が設けてある。４本の第二給電部５８はいずれも口金５７（大径筒状部３１）の中心軸と平行に直線的に延びておりかつ互いに同一形状である。各第二給電部５８の外周面は、口金５７（大径筒状部３１）の中心軸を中心とする円筒面の一部を構成している。さらに隣り合う第二給電部５８の間に形成された直線状の凹溝がそれぞれ第二非接触部５９を構成している。
この口金５７を口金２９の代わりに用いると、放電ランプ１０が点灯しているときに口金５７の各第二給電部５８がランプホルダ４５の小径部収納部４８の内周面に接触するものの、口金５７の各第二非接触部５９は小径部収納部４８の内周面と接触しない。即ち、上記実施形態の小径部３８と場合に比べて、小径部３８（第二給電部５８）と小径部収納部４８の内周面との接触面積が小さくなる。従って、放電ランプ１０を点灯させると、（上記実施形態に比べて）小径部３８（第二給電部５８）の電流密度がより大きくなり、小径部３８（第二給電部５８）の電気抵抗に起因して発生するジュール熱がより多くなる。
しかも小径部３８の第二給電部５８が口金５７（大径筒状部３１）の中心軸に関して回転対称形状になるので、口金５７の小径部３８（第二給電部５８）から大径筒状部３１全体に略均等に熱が及ぶことになる。
従って、上記実施形態の放電ランプ１０よりも封止管１３、１４の歪みを十分に解放可能である。そのため、放電ランプ１０の点灯中に封止管１３、１４にクラックが発生したり、放電ランプ１０が破損するおそれをより小さくすることが可能である。
なお、第二給電部５８の数は複数であれば幾つでもよく、幾つの場合であっても第二給電部５８が口金５７（大径筒状部３１）の中心軸に関して回転対称形状となるように第二給電部５８を小径部３８に対して設けるのが好ましい。
【００３０】
図９、図１０に示す変形例の口金６１の小径部３８の外周面には、円盤からなる２枚の第二給電部６２が小径部３８の長手方向に等間隔で突設してある。２枚の第二給電部６２は同一形状であり、各第二給電部６２の外周面は口金６１の中心軸を中心とする円筒面と一致している。さらに各第二給電部６２に隣接する空間がそれぞれ、小径部３８の周方向に延びる環状の第二非接触部６３を構成している。
この口金６１を口金２９の代わりに用いると、放電ランプ１０が点灯しているときに口金６１の各第二給電部６２がランプホルダ４５の小径部収納部４８の内周面に接触するものの、口金６１の各第二非接触部６３は小径部収納部４８の内周面と接触しない。従って、図６〜図８の変形例の放電ランプ１０と同様の作用効果を発揮可能である。
なお、第二給電部６２は一つであっても、３つ以上であってもよい。
さらに図６〜図８及び図９、図１０の各変形例に、第一非接触部３５の代わりに第一非接触部５５を設けても良い。
【００３１】
さらに口金３０を口金２９、５４、５７、６１と同じ構造にして、この口金３０に対してランプホルダ４５（口金２９に接続したランプホルダ４５とは別のランプホルダ）を接続し、このランプホルダ４５の第一リード線４９を電源に接続してもよい。
またランプホルダ４５からねじ溝４７を省略し、その代わりにねじ溝４７とは別タイプの固定手段をランプホルダ４５に設けても良い。別タイプの固定手段の具体例としては、例えば、大径筒状部３１を外周側から径方向に把持して、第一給電部３６をランプホルダ４５の大径筒状部収納部４６の底面に接触させ、かつ小径部３８の第二給電部３９（５８、６２）を小径部収納部４８の内周面に接触させることが可能なスナップロックがある。
また上記実施形態及び各変形例において閉塞端部３３に径が異なる複数の第一非接触部３５を同心的に凹設してもよい。
図示は省略してあるが、口金２９、５４、５７、６１の閉塞端部３３の端面（封止管１３、１４と反対側の表面）の外周縁部上に、封止管１３、１４と反対側に向かって突出する円形突条からなる第一給電部を形成してもよい（閉塞端部３３の封止管１３、１４と反対側の面における第一給電部を設けていない部分が第一非接触部を構成する）。
また小径部３８に第二給電部５８、６２を突設する代わりに小径部３８の外周面に凹部を形成することにより、この凹部を「第二非接触部」とし、小径部３８の（凹部が形成されていない外周面）を第二給電部３９としてもよい。
なお第一給電部が形成される閉塞端部３３の「外周縁部」の幅（閉塞端部３３の径方向寸法）は特に限定されるものではなく、機械加工が可能な範囲で上記第一給電部と上記第一非接触部を有する構成を実現できるものであればよい。
【符号の説明】
【００３２】
１０    放電ランプ
１１    放電容器
１２    発光管
１３  １４  封止管
１６    電極
１７    内部電極棒（導通部材）
１８    ガラス棒
２１    外部電極棒（導通部材）
２２    内部リード線（導通部材）
２３  ２４  接続部材（導通部材）
２７    金属箔（導通部材）
２９  ３０  口金
３１    大径筒状部（筒状部）
３２    ねじ溝
３３    閉塞端部
３４    中心孔
３５    第一非接触部
３６    第一給電部
３８    小径部
３９    第二給電部
４１    接着剤
４２    先端最小径部
４３    蝋
４６    大径筒状部収納部（接続凹部）
４７    ねじ溝
４８    小径部収納部（接続凹部）
４９    第一リード線
５２    第二リード線
５４    口金
５５    第一非接触部
５７    口金
５８    第二給電部
５９    第二非接触部
６１    口金
６２    第二給電部
６３    第二非接触部
【図１】
2014207114.tif 000003
【図２】
2014207114.tif 000004
【図３】
2014207114.tif 000005
【図４】
2014207114.tif 000006
【図５】
2014207114.tif 000007
【図６】
2014207114.tif 000008
【図７】
2014207114.tif 000009
【図８】
2014207114.tif 000010
【図９】
2014207114.tif 000011
【図１０】
2014207114.tif 000012